(57)【要約】【課題】異なる場所にいる複数の医療スタッフ同士が、適切に連携して患者に対応できる医療用システムを提供する。【解決手段】医療用システムは、送信機と、複数の携帯端末とを有する。送信機は、患者に装着されて当該患者の生体情報を取得し、自機の位置に関する位置情報と共に生体情報を送信する。各携帯端末は、医療スタッフに携帯され、送信機から送信された位置情報および生体情報に基づいて患者の所在位置および状態を表示する。各携帯端末は、受付部と、送信部とを有する。受付部は、当該携帯端末を携帯する医療スタッフが所在位置に向かうことを示す操作を受付ける。送信部は、受付部において操作を受付けたとき、当該操作を受付けたことを示す情報を複数の携帯端末のうちの他の携帯端末に送信する。【選択図】図１
2019107454.tif 000002
【特許請求の範囲】
【請求項１】
患者に装着されて当該患者の生体情報を取得し、自機の位置に関する位置情報と共に前記生体情報を送信する送信機と、
医療スタッフに携帯され、前記送信機から送信された前記位置情報および前記生体情報に基づいて前記患者の所在位置および状態を表示する複数の携帯端末と、
を有し、
前記各携帯端末は、
当該携帯端末を携帯する医療スタッフが前記所在位置に向かうことを示す操作を受付ける受付部と、
前記受付部において前記操作を受付けたとき、当該操作を受付けたことを示す情報を前記複数の携帯端末のうちの他の携帯端末に送信する送信部と、
を有する医療用システム。
【請求項２】
患者に装着されて当該患者の生体情報を取得し、自機の位置に関する位置情報および前記患者の動作に関する動作情報と共に前記生体情報を送信する送信機と、
医療スタッフに携帯され、前記送信機から送信された前記位置情報、前記動作情報および前記生体情報を受信する複数の携帯端末と、
を有し、
前記各携帯端末は、
前記位置情報および前記動作情報のうち少なくとも一つに基づいて転倒リスクがあると判断された場合、前記患者の所在位置と対応付けて前記患者への対処の表明を受付ける受付部を有する医療用システム。
【請求項３】
前記携帯端末は、医療スタッフの腕部に装着可能なリストバンド型または頭部に装着可能な眼鏡型である請求項１または請求項２に記載の医療用システム。
【請求項４】
前記携帯端末は、前記生体情報を解析し、解析結果に基づいて前記患者の状態が正常であるかまたは異常であるかを判断可能である請求項１〜３のいずれか一項に記載の医療用システム。
【請求項５】
前記送信機から送信された前記位置情報、前記動作情報および前記生体情報に基づいて前記患者の所在位置、動作および状態を表示する受信モニタをさらに有し、
前記携帯端末または前記受信モニタは、各患者毎に前記生体情報および前記動作情報に基づき対応が必要か否かを判断するための閾値を設定する設定部をさらに有する請求項２に記載の医療用システム。
【発明の詳細な説明】
【技術分野】
【０００１】
本発明は、医療用システムに関する。
【背景技術】
【０００２】
病院内において患者の状態をモニタする種々の技術が知られている。その一つとして、患者に送信機を装着し、当該送信機によって患者の状態を測定して、表示装置に送信する技術がある。表示装置には、患者の状態が表示され、看護師等の医療スタッフは、ナースステーション等の離れた場所から患者の状態をモニタできる。
【０００３】
近年では、患者の生体情報に加えて、患者の位置情報を送信機から送信し、表示装置で患者の位置をモニタする技術も知られている（例えば、特許文献１参照）。この技術により、患者がトイレ等の病室以外の場所にいる場合であっても、患者の状態に異常が発生した際、医療スタッフは異常が発生した患者の位置を把握して当該患者の元に向かうことができる。また、情報へのアクセスを容易化する観点から、上記の表示装置を携帯可能とし、各医療スタッフに携帯させることも提案されている。これにより、例えば、医療スタッフが病室での看護等のためにナースステーションの外にいるときでも、患者の状態を監視できるようになる。
【先行技術文献】
【特許文献】
【０００４】
【特許文献１】特開２０１２−０１１１７６号公報
【発明の概要】
【発明が解決しようとする課題】
【０００５】
しかしながら、上記の表示装置を携帯する複数の医療スタッフが、ナースステーション外の別々の場所にいる場合、アラームが発生した際に各医療スタッフが適切に連携をとれず、無駄な対応が発生してしまう虞がある。例えば、アラームが発生し、ある医療スタッフが既にアラームの起因となった患者の元に到着して処置を行っているのに、他の医療スタッフが重複して当該患者の元へ向かってしまうことが考えられる。
【０００６】
本願発明は上記事情に鑑みてなされたものであり、異なる場所にいる複数の医療スタッフが、適切に連携して患者に対応できる医療用システムを提供することを目的とする。
【課題を解決するための手段】
【０００７】
医療用システムは、送信機と、複数の携帯端末とを有する。送信機は、患者に装着されて当該患者の生体情報を取得し、自機の位置に関する位置情報と共に生体情報を送信する。携帯端末は、医療スタッフに携帯され、送信機から送信された位置情報および生体情報に基づいて患者の所在位置および状態を表示する。携帯端末は、当該携帯端末を携帯する医療スタッフが所在位置に向かうことを示す操作を受付ける受付部と、受付部において操作を受付けたとき、当該操作を受付けたことを示す情報を複数の携帯端末のうちの他の携帯端末に送信する送信部とを有する。
【０００８】
医療用システムは、送信機と、複数の携帯端末とを有する。送信機は、患者に装着されて当該患者の生体情報を取得し、自機の位置に関する位置情報および患者の動作に関する動作情報と共に生体情報を送信する。携帯端末は、医療スタッフに携帯され、送信機から送信された位置情報、動作情報および生体情報を受信する。携帯端末は、位置情報および動作情報のうち少なくとも一つに基づいて判断される患者の転倒リスクに応じて、転倒リスクがある場合、患者の所在位置と対応付けて患者への対処の表明を受付ける受付部を有する。
【発明の効果】
【０００９】
本発明によれば、携帯端末は、医療スタッフが患者の所在位置に向かうことを示す処置表明操作を受付け、当該処置表明操作を受付けたことを示す情報を他の携帯端末に送信する。これにより、様々な場所にいる医療スタッフ同士が適切に連携して患者に対応できる。
【図面の簡単な説明】
【００１０】
【図１】第１実施形態に係る医療用システムの概略構成を示す図。
【図２】携帯端末の概略構成を示すブロック図。
【図３】携帯端末の機能を示すブロック図。
【図４】携帯端末のハードウェア構成例を示す図。
【図５】第１実施形態に係る医療用システムにおける処理の手順を示すシーケンス図。
【図６】図５に示されるステップＳ１０２の処理において携帯端末に表示される画面の一例を示す図。
【図７】図５に示されるステップＳ１０５の処理において携帯端末に表示される画面の一例を示す図。
【図８】図５に示されるステップＳ１０８の処理において携帯端末に表示される画面の一例を示す図。
【図９】医療スタッフが携帯端末のチャネル受信機能を使用して患者の処置を行う様子を示す図。
【図１０】医療スタッフが転倒リスク上昇中の患者の処置を行う様子を示す図。
【図１１】携帯端末のモニタ表示機能を説明するための図。
【図１２】リストバンド型携帯端末の概略構成を示す図。
【図１３】眼鏡型携帯端末の概略構成を示す図。
【図１４】第２実施形態に係る医療用システムの概略構成を示す図。
【図１５】第３実施形態に係る医療用システムの概略構成を示す図。
【発明を実施するための形態】
【００１１】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１２】
＜第１実施形態＞
図１は、第１実施形態に係る医療用システムの概略構成を示す図である。
【００１３】
第１実施形態の医療用システムは、例えば病院に設けられる。
【００１４】
図１に示すように、医療用システム１００は、識別情報発信機２００（２００ａ、２００ｂ、２００ｃ、２００ｄ、２００ｅ）、送信機３００（３００ａ、３００ｂ、３００ｃ、３００ｄ、３００ｅ）、アンテナ４００、受信モニタ５００および携帯端末６００（６００ａ、６００ｂ、６００ｃ）を有する。各構成について説明する。
【００１５】
＜識別情報発信機２００＞
識別情報発信機２００は、病室、トイレ、廊下等の病院内の各所に設置される。識別情報発信機２００には、それぞれ固有の識別情報が設定される。識別情報発信機２００は、当該識別情報を、位置ＩＤとして繰り返し発信する。
【００１６】
図１に示す例において、トイレＴ１、病室Ｒ１、廊下Ｃ１、トイレＴ２、病室Ｒ２には、それぞれ識別情報発信機２００ａ、２００ｂ、２００ｃ、２００ｄ、２００ｅが設置されている。識別情報発信機２００ａ、２００ｂ、２００ｃ、２００ｄ、２００ｅには、位置ＩＤとしてそれぞれ「Ａ」、「Ｂ」、「Ｃ」、「Ｄ」、「Ｅ」が設定されている。
【００１７】
識別情報発信機２００ａ、２００ｂ、２００ｃ、２００ｄ、２００ｅは、それぞれ図１中に点線の枠で示すトイレＴ１、病室Ｒ１、廊下Ｃ１、トイレＴ２、病室Ｒ２の領域をカバーするような射程範囲において、自機に設定された位置ＩＤを発信する。例えば、識別情報発信機２００ａは、トイレＴ１の領域内に届くように位置ＩＤ「Ａ」を発信する。したがって、トイレＴ１内においては、識別情報発信機２００ａから発信される位置ＩＤ「Ａ」が受信される。同様に、識別情報発信機２００ｂ、２００ｃ、２００ｄ、２００ｅは、それぞれ病室Ｒ１、廊下Ｃ１、トイレＴ２、病室Ｒ２の領域内に届くように位置ＩＤ「Ｂ」、「Ｃ」、「Ｄ」、「Ｅ」を発信する。したがって、病室Ｒ１、廊下Ｃ１、トイレＴ２、病室Ｒ２内においては、それぞれ識別情報発信機２００ｂ、２００ｃ、２００ｄ、２００ｅから発信される位置ＩＤ「Ｂ」、「Ｃ」、「Ｄ」、「Ｅ」が受信される。
【００１８】
識別情報発信機２００が位置ＩＤを発信するタイミングは、例えば、１０秒プラスマイナス３秒等の一定期間内においてランダムなタイミングとしてもよい。あるいは、１０秒間隔等の定期的なタイミングとしてもよい。
【００１９】
＜送信機３００＞
送信機３００は、患者に装着可能な装置であり、患者の状態を示す生体情報を検出して送信する。具体的には、送信機３００は、心電図電極、プローブ等の測定部（不図示）を有し、測定部により患者の心電図信号、血中酸素飽和度、心拍数、血圧値、体温等の生体情報を検出する。送信機３００は、検出された生体情報を、無線信号により送信する。
【００２０】
また、送信機３００は、患者の動作を示す動作情報を検出して送信する。具体的には、送信機３００は、自機の加速度を検知する加速度センサーを有し、送信機３００が装着された患者の動作に伴い発生する自機の加速度を検出して送信する。
【００２１】
さらに、送信機３００は、患者の所在する位置を示す位置情報を取得して送信する。具体的には、送信機３００は、識別情報発信機２００から送信された位置ＩＤを受信可能に構成される。送信機３００は、位置ＩＤを受信した場合、受信した位置ＩＤを患者の位置情報として送信する。送信機３００は、複数の識別情報発信機２００から複数の位置ＩＤを受信した場合、受信した複数の位置ＩＤを送信してもよい。あるいは、送信機３００は、受信のサイクルタイム、例えば１０秒間において最後に受信した位置ＩＤのみを送信してもよい。あるいは、送信機３００は、受信した複数の位置ＩＤのうち、受信した際の無線信号の強度が最も高かったものを送信してもよい。
【００２２】
複数の送信機３００は、相互に混信がないように、それぞれ異なる固有のチャネルが割り当てられており、チャネルにより各送信機３００が識別される。チャネルは、例えば異なる周波数に対応している。
【００２３】
図１に示す例において、患者Ｐ１、Ｐ２、Ｐ３、Ｐ４、Ｐ５には、各送信機３００ａ、３００ｂ、３００ｃ、３００ｄ、３００ｅが装着されている。例えば、患者Ｐ１はトイレＴ１に所在し、識別情報発信機２００ａから送信される位置ＩＤが届く範囲内にいる。したがって、患者Ｐ１に装着された送信機３００ａは、識別情報発信機２００ａから送信される位置ＩＤ「Ａ」を受信する。送信機３００ａは、受信した位置ＩＤ「Ａ」を、患者Ｐ１の生体情報および動作情報とあわせて、アンテナ４００を介して無線信号により受信モニタ５００へ送信する。同様に、患者Ｐ２〜Ｐ５にそれぞれ装着された送信機３００ｂ〜３００ｅは、識別情報発信機２００ｂ〜２００ｅから送信される位置ＩＤ「Ｂ」〜「Ｅ」をそれぞれ受信し、患者Ｐ２〜Ｐ５の生体情報および動作情報とあわせて受信モニタ５００へ送信する。
【００２４】
＜受信モニタ５００＞
受信モニタ５００は、送信機３００から送信される生体情報、動作情報および位置ＩＤを受信し、受信した情報に基づいて、患者の状態、動作および所在位置を液晶ディスプレイ等の表示部に表示する。受信モニタ５００は、各送信機３００が通信する際に使用するチャネルに対応付けて、各送信機３００が装着された患者の名称や患者ごとのアラームの発生条件等の患者情報を記憶している。したがって、受信モニタ５００は、生体情報等を送信した送信機３００のチャネルに基づいて患者情報を取得することにより、各患者の患者情報に対応付けて、各患者の状態や動作、所在位置等を表示できる。また、受信モニタ５００は、送信機３００から受信した情報や、受信した情報を解析して生成した情報等を、ネットワークＮを通じて携帯端末６００へ送信する。
【００２５】
ネットワークＮは、例えば、イーサネット（登録商標）、Ｗｉ−Ｆｉ（Ｗｉｒｅｌｅｓｓ  Ｆｉｄｅｌｉｔｙ）、Ｚｉｇｂｅｅ（登録商標）、Ｂｌｕｅｔｏｏｔｈ（登録商標）等の規格によりコンピューターやネットワーク機器同士を接続したＬＡＮ（Ｌｏｃａｌ  Ａｒｅａ  Ｎｅｔｗｏｒｋ）等から構成される。ネットワークＮは、携帯端末６００が無線により受信モニタ５００や他の携帯端末６００と通信可能となるように構築される。ネットワークＮは、個々の通信端末からの通信を集約するアクセスポイントを階層的に設けるスター型ネットワークであってもよく、あるいは、個々の通信機器同士が相互に通信することによりネットワークを構成するメッシュネットワークであってもよい。
【００２６】
＜携帯端末６００＞
携帯端末６００は、医療スタッフに携帯あるいは装着され、患者の状態、動作および所在位置等を表示する。また、携帯端末６００は、医療スタッフからの各種操作を受付け、受付けた操作に基づく情報を、ネットワークＮを介して受信モニタ５００や他の携帯端末６００へ送信する。また、携帯端末６００は、最も近くにある送信機３００のチャネルを自動的に取得し、当該送信機３００から生体情報等を受信可能である。
【００２７】
図２は、携帯端末の概略構成を示すブロック図である。
【００２８】
図２に示すように、携帯端末６００は、ＣＰＵ６１０、ＲＯＭ６２０、ＲＡＭ６３０、ストレージ６４０、表示部６５０、操作部６６０および通信部６７０を備えており、これらは信号をやり取りするためのバス６８０を介して相互に接続されている。
【００２９】
ＣＰＵ６１０は、ＲＯＭ６２０やストレージ６４０に記録されているプログラムにしたがって、上記各部の制御や各種の演算処理を行う。ＣＰＵ６１０は、プログラムを実行することによって、受付部および送信部として機能する。ＲＯＭ６２０は、各種プログラムや各種データを格納する。ＲＡＭ６３０は、作業領域として一時的にプログラムやデータを記憶する。
【００３０】
ストレージ６４０は、オペレーティングシステムを含む各種プログラムや、各種データを格納する。また、ストレージ６４０には、各送信機３００が通信する際に使用するチャネルに対応付けて、各送信機３００が装着された患者の名称や患者ごとのアラームの発生条件等の患者情報を記憶している。
【００３１】
表示部６５０は、例えば、液晶ディスプレイであり、患者の名称、状態、動作および所在位置等の各種情報を表示する。
【００３２】
操作部６６０は、各種入力を行うために使用される。操作部６６０には、表示部６５０においてタッチパネル方式によりソフトウェアとして実現される操作キーや、ハードウェアとして設けられる操作ボタン等が含まれる。
【００３３】
通信部６７０は、受信モニタ５００等の外部機器と通信するためのインターフェースである。ネットワークＮを介して受信モニタ５００や他の携帯端末６００等と通信するためのインターフェースとしては、例えば、イーサネット（登録商標）、Ｗｉ−ＦｉまたはＢｌｕｅＴｏｏｔｈ（登録商標）等の規格が用いられる。また、通信部６７０は、送信機３００から送信される無線信号を受信するためのインターフェースを有する。
【００３４】
次に、携帯端末６００の機能について説明する。
【００３５】
図３は、携帯端末の機能を示すブロック図である。
【００３６】
図３に示すように、携帯端末６００は、生体情報解析部６１１、動作情報解析部６１２、位置情報解析部６１３、処置表明部６１４、チャネル受信部６１５およびモニタ表示部６１６として機能する。このため、ストレージ６４０には、生体情報解析部６１１、動作情報解析部６１２、位置情報解析部６１３、処置表明部６１４、チャネル受信部６１５およびモニタ表示部６１６に対応するプログラムが記憶されている。上記の携帯端末６００の各機能は、それぞれに対応するプログラムをＣＰＵ６１０が実行することにより発揮される。
【００３７】
生体情報解析部６１１は、送信機３００から送信された患者の生体情報を解析し、患者の状態を示すグラフ画像や数値等を表示部６５０に表示する。また、生体情報解析部６１１は、生体情報を解析することにより患者の状態に異常があるか否かを判断し、異常がある場合には、異常を示すアラームを発生させる。例えば、生体情報解析部６１１は、送信機３００から送信された心電図信号を解析することにより、不整脈等の異常を検知することができる。
【００３８】
動作情報解析部６１２は、送信機３００から送信された動作情報を解析し、歩行や転倒等、患者の動作を判断し表示部６５０に表示する。本実施形態では、動作情報解析部６１２は、送信機３００から送信された加速度情報に基づいて患者の動作を判断する。
【００３９】
例えば、患者が歩行を開始した場合、送信機３００は、加速度センサーにより歩行周期に伴う上下運動の加速度を検出し、検出した加速度を示す情報を、動作情報として送信する。したがって、動作情報解析部６１２は、送信機３００から加速度を示す情報を受信した場合、患者が歩行を開始したと判断できる。この場合、動作情報解析部６１２は、表示部６５０に、患者の動作として患者が歩行中である旨を表示する。ここで、ストレージ６４０において、歩行を開始した患者のアラーム発生条件として歩行の状態が登録されている場合、動作情報解析部６１２は、アラームを発生させる。これにより、歩行が禁止されている患者や、歩行に介助が必要な患者が歩行を開始した場合に、医療スタッフが即時に把握し、必要な処置を行うことができる。
【００４０】
また、患者が転倒した場合、強い衝撃を受けた動方向に加速度変化が発生する。例えば、患者が転倒した場合、送信機３００は自由落下に近い状態で垂直方向に位置変化する。送信機３００は、通常、重力加速度による垂直方向の加速度を検出している。しかし、患者の転倒に伴う自由落下により、重力加速度が相殺される。このため、患者が転倒した瞬間は、送信機３００の加速度センサーにより検出される垂直方向の加速度はゼロ値まで減少する。したがって、動作情報解析部６１２は、送信機３００から受信する垂直方向の加速度がゼロ値まで減少した場合、患者が転倒したと判断できる。ここで、ストレージ６４０において、転倒した患者のアラーム発生条件として転倒の状態が登録されている場合、動作情報解析部６１２は、アラームを発生させる。これにより、患者が転倒したことを医療スタッフが即時に把握し、必要な処置を行うことができる。
【００４１】
なお、ここでは、送信機３００から加速度情報を受信して、動作情報解析部６１２側で患者の動作を判断している。しかし、送信機３００側で加速度情報に基づき患者の動作を判断し、動作情報解析部６１２は送信機３００の判断結果を受け取ることもできる。この場合、動作情報解析部６１２は加速度情報から患者の動作を判断する必要がない。
【００４２】
位置情報解析部６１３は、送信機３００から送信された位置ＩＤに基づいて、患者が所在する位置である所在位置を特定し、表示部６５０に表示する。具体的には、携帯端末６００は、各識別情報発信機２００が発信する位置ＩＤと、各識別情報発信機２００が設置されている位置とを対応付けてストレージ６４０に記憶している。図１に示す例では、位置ＩＤ「Ａ」、「Ｂ」、「Ｃ」、「Ｄ」、「Ｅ」には、それぞれ「トイレＴ１」、「病室Ｒ１」、「廊下Ｃ１」、「トイレＴ２」、「病室Ｒ２」が対応付けられている。したがって、位置情報解析部６１３は、患者Ｐ１に装着された送信機３００ａから位置ＩＤ「Ａ」を受信した場合、患者Ｐ１の所在位置は「トイレＴ１」であると特定できる。
【００４３】
処置表明部６１４は、医療スタッフが患者の所在位置に向かうことを表明する操作を受付け、当該操作が行われたことを示す情報を、他の医療スタッフが携帯する携帯端末６００や受信モニタ５００へ送信する。例えば、処置表明部６１４は、各患者の情報に対応付けて、携帯端末６００を携帯する医療スタッフが患者の所在位置に向かうことを表明するためのボタンを表示部６５０に表示する。医療スタッフにより当該ボタンが押下された場合、処置表明部６１４は、その旨を示す情報を、他の医療スタッフが携帯する携帯端末６００や受信モニタ５００に送信する。
【００４４】
チャネル受信部６１５は、携帯端末６００の最も近くにある送信機３００のチャネルを自動的に取得し、当該送信機３００から生体情報等の各種情報を受信する。例えば、チャネル受信部６１５は、操作部６６０のボタン押下等の所定の操作が受付けられると、受信するチャネルを順次切り替えつつ無線信号を受信する。チャネル受信部６１５は、受信した無線信号の強度が最も強いチャネルを、最も近くにある送信機３００のチャネルとして取得する。ここで、無線信号の強度は、信号の発生源（送信機３００）からの距離が離れるほど減衰する。そのため、各送信機３００の発生源における信号の強度が同じであれば、携帯端末６００ａから最も近くにある送信機３００のチャネルを使用して発信される信号が、最大の信号強度となる。したがって、チャネル受信部６１５は、無線信号の強度が最も強いチャネルを取得することにより、最も近くにある送信機３００のチャネルを自動的に取得できる。チャネル受信部６１５は、取得したチャネルを通じて、送信機３００から生体情報等の情報を受信する。
【００４５】
モニタ表示部６１６は、受信モニタ５００と連携し、受信モニタ５００の表示部において表示される画面と同様の画面を、表示部６５０に表示する。
【００４６】
次に、携帯端末６００の機器構成について説明する。
【００４７】
図４は、携帯端末のハードウェア構成例を示す図である。
【００４８】
図４に示すように、携帯端末６００は、例えば、スマートフォン、タブレット端末等の汎用端末６０１と、送信機３００との通信機能を有する通信モジュール６０２とから構成される。汎用端末６０１および通信モジュール６０２は、ＵＳＢ（Ｕｎｉｖｅｒｓａｌ  Ｓｅｒｉａｌ  Ｂｕｓ）等のインターフェース用コネクタや、Ｂｌｕｅｔｏｏｔｈ（登録商標）等による無線通信を介して接続される。図４中に示される「Ｎアプリケーション」は、生体情報解析部６１１、動作情報解析部６１２、位置情報解析部６１３、処置表明部６１４、チャネル受信部６１５およびモニタ表示部６１６に対応するプログラムである。医療スタッフ等のユーザーが、汎用端末６０１に当該「Ｎアプリケーション」をインストールすると、汎用端末６０１の制御部は「Ｎアプリケーション」を実行し、汎用端末６０１の各部および通信モジュール６０２を制御する。これにより、上記の携帯端末６００の各機能が実現される。携帯端末６００をこのように構成することにより、医療スタッフが元々保有しているスマートフォン等の汎用端末を活用して携帯端末６００を実現できる。ここで、医療スタッフの衣服のポケット等は、既に他の検査機器や通信機器等で占有されており、余分なスペースがないことが多い。そこで、上記のように既存のスマートフォン等を活用して携帯端末６００を実現することにより、医療スタッフが携帯端末６００を容易に所持できるようになる。
【００４９】
なお、携帯端末６００は、上記構成要素以外の構成要素を含んでいてもよく、あるいは、上記構成要素のうちの一部が含まれていなくてもよい。また、携帯端末６００のハードウェア構成は、別体の装置である汎用端末６０１と通信モジュール６０２とを接続する構成に限定されず、例えば、一つの装置として一体的に構成されていてもよい。
【００５０】
＜医療用システム１００における処理の概要＞
次に、第１実施形態に係る医療用システム１００における処理の手順について説明する。
【００５１】
図５は、第１実施形態に係る医療用システムにおける処理の手順を示すシーケンス図である。図６は、図５に示されるステップＳ１０２の処理において携帯端末６００ａに表示される画面の一例を示す。図７は、図５に示されるステップＳ１０５の処理において携帯端末６００ｂに表示される画面の一例を示す。図８は、図５に示されるステップＳ１０８の処理において携帯端末６００ｃに表示される画面の一例を示す。図５のシーケンスチャートに示される各携帯端末６００の処理は、各携帯端末６００のストレージ６４０にプログラムとして記憶されており、各携帯端末６００のＣＰＵ６１０が各部を制御することにより実行される。また、図５〜図８に示す携帯端末６００ａ、６００ｂ、６００ｃ、患者Ｐ１、Ｐ３、Ｐ４、トイレＴ１、Ｔ２、廊下Ｃ１等は図１に示す概略構成図と対応している。
【００５２】
まず、携帯端末６００ａは、各患者の送信機３００から送信された生体情報、動作情報および位置情報を受信する（ステップＳ１０１）。具体的には、携帯端末６００ａは、通信部６７０において、ネットワークＮ経由で生体情報、動作情報および位置情報を受信する。携帯端末６００ｂ、６００ｃにおいても、携帯端末６００ａと同様に、生体情報、動作情報および位置情報が受信される。
【００５３】
続いて、携帯端末６００ａは、医療スタッフによる処置が必要な患者の状態および所在位置を表示する（ステップＳ１０２）。具体的には、携帯端末６００ａは、生体情報解析部６１１および動作情報解析部６１２において、受信した生体情報および動作情報を解析し、各患者の状態および動作を判断する。また、携帯端末６００ａは、位置情報解析部６１３において、受信した位置情報を解析し、各患者の所在位置を特定する。さらに、携帯端末６００ａは、解析した結果に基づいて、各患者について医療スタッフによる処置が必要か否かを判断する。携帯端末６００ａ及び／又は受信モニタ５００は、各患者毎に、予め状態および動作の解析結果に基づいて処置が必要か否かを判断する閾値を変更できる手段を備え、その閾値を超えた場合、携帯端末６００ａは、図６に示すような画面を表示部６５０に表示し、医療スタッフによる処置が必要と判断した患者の状態および所在位置を表示する。携帯端末６００ｂ、６００ｃにおいても、携帯端末６００ａと同様に、図６に示すような画面が表示される。
【００５４】
図６に示す画面において、患者Ｐ１、Ｐ３、Ｐ４に関する情報が表示されている。
【００５５】
患者Ｐ１は、心停止状態であり、所在位置はトイレＴ１である。心停止状態はすぐに医療スタッフの処置が必要な状態であるため、「心停止」の文字を強調表示したり警告音を鳴らしたりする等のアラームが発生している。
【００５６】
患者Ｐ３は、正常な状態で歩行中であり、所在位置は廊下Ｃ１である。ここで、患者Ｐ３は歩行時に転倒するリスクが高い患者である。そのため、患者Ｐ３が歩行を開始した場合や歩行中の場合にはアラームが発生するように設定されている。したがって、図６に示す画面において、患者Ｐ３に関して「転倒リスク上昇」というアラーム表示が行われている。
【００５７】
患者Ｐ４は、正常な状態で静止しており、所在位置はトイレＴ２である。ここで、患者Ｐ４はトイレにおいて転倒するリスクがある患者である。そのため、患者Ｐ４のアラーム設定において、患者Ｐ４がトイレにいる場合には携帯端末６００に表示されるように設定されている。したがって、図６に示す画面において、患者Ｐ４に関する情報が表示されている。
【００５８】
続いて、携帯端末６００ａは、看護師Ｎ１が患者Ｐ１の所在位置に向かうことを表明する操作を受付ける（ステップＳ１０３）。図６に示す画面においては、看護師Ｎ１が各患者の所在位置に向かうことを表明する操作を受付けるための「処置」ボタンが表示されている。図６に示す例では、患者Ｐ１がトイレＴ１において心停止状態となっている。したがって、トイレＴ１の近くにいる看護師Ｎ１は、患者Ｐ１に対応付けられた「処置」ボタンを押下し、患者Ｐ１の処置を行うためにトイレＴ１に向かう。看護師Ｎ１による患者Ｐ１への処置については、後述する。
【００５９】
続いて、携帯端末６００ａは、携帯端末６００ａにおいて患者Ｐ１の「処置」ボタンが押下されたことを示す処置表明情報を、携帯端末６００ｂ、６００ｃへ送信する（ステップＳ１０４）。具体的には、携帯端末６００ａは、ネットワークＮ経由で、他の携帯端末６００ｂ、６００ｃへ処置表明情報を送信する。
【００６０】
携帯端末６００ｂ、６００ｃは、携帯端末６００ａから処置表明情報を受信すると、処置表明された患者Ｐ１について、表示内容を変更する（ステップＳ１０５）。具体的には、携帯端末６００ｂ、６０００ｃは、図７に示すように、看護師Ｎ１により「処置」ボタンが押下された患者Ｐ１について、看護師Ｎ１が既に処置に向かっていることがわかるように表示内容を変更する。これにより、携帯端末６００ｂ、６００ｃを携帯する看護師Ｎ２、Ｎ３が、看護師Ｎ１と重複して患者Ｐ１の処置に向かうことが防止される。
【００６１】
ここで、図７に示す画面には、患者Ｐ３が廊下Ｃ１において歩行中であり、転倒リスクが上昇していることが表示されている。したがって、廊下Ｃ１の近くにいる看護師Ｎ２は、患者Ｐ３に対応付けられた「処置」ボタンを押下し、患者Ｐ３の処置を行うために廊下Ｃ１に向かう。看護師Ｎ２による患者Ｐ３への処置については、後述する。
【００６２】
上記のように、携帯端末６００ｂは、看護師Ｎ２が患者Ｐ３の所在位置に向かうことを表明する操作を受付ける（ステップＳ１０６）。
【００６３】
続いて、携帯端末６００ｂは、携帯端末６００ｂにおいて患者Ｐ３の「処置」ボタンが押下されたことを示す処置表明情報を携帯端末６００ｃへ送信する（ステップＳ１０７）。ここで、携帯端末６００ｂは、処置表明情報を、既に処置表明操作が受付けられている携帯端末６００ａにも送信してもよい。
【００６４】
携帯端末６００ｃは、携帯端末６００ｂから処置表明情報を受信すると、処置表明された患者Ｐ３について、表示内容を変更する（ステップＳ１０８）。具体的には、携帯端末６００ｃは、図８に示すように、看護師Ｎ２により「処置」ボタンが押下された患者Ｐ３について、看護師Ｎ２が既に処置に向かっていることがわかるように表示内容を変更する。これにより、携帯端末６００ｃを携帯する看護師Ｎ３が、看護師Ｎ２と重複して患者Ｐ３の処置に向かうことが防止される。その結果、看護師Ｎ３は、例えば、トイレＴ２にいる患者Ｐ４の様子を見に行くことができる。あるいは、看護師Ｎ３は、携帯端末６００ｃのモニタ表示機能を使用して、他の患者の状態を確認することもできる。携帯端末６００のモニタ表示機能については、後述する。
【００６５】
＜看護師Ｎ１による患者Ｐ１への処置例＞  図９は、医療スタッフが携帯端末のチャネル受信機能を使用して患者の処置を行う様子を示す図である。
【００６６】
図９に示すように、携帯端末６００ａにおいて、患者Ｐ１の「処置」ボタンを押下した看護師Ｎ１は、トイレＴ１にいる患者Ｐ１の元に到着する。看護師Ｎ１は、患者Ｐ１の状態を確認するために、患者Ｐ１の送信機３００ａに携帯端末６００ａを近づける。携帯端末６００ａのチャネル受信部６１５は、最も近くにある送信機３００である送信機３００ａから、送信機３００ａが使用するチャネルを取得する。携帯端末６００ａは、取得したチャネルを通じて、送信機３００ａから患者Ｐ１の生体情報を受信する。携帯端末６００ａは、受信した生体情報に基づいて患者Ｐ１の状態を表示部６５０に表示する。これにより、携帯端末６００ａは、ネットワークＮ等の通信環境による伝送遅延やデータ容量制限といった影響を受けることなく、送信機３００ａから直接生体情報を受信して表示できる。したがって、看護師Ｎ１は、簡単かつ確実に患者Ｐ１の生体情報を確認しながら適切な処置を行うことができる。
【００６７】
＜看護師Ｎ２による患者Ｐ３への処置例＞
図１０は、医療スタッフが転倒リスク上昇中の患者の処置を行う様子を示す図である。
【００６８】
図１０に示すように、携帯端末６００ｂにおいて、患者Ｐ３の「処置」ボタンを押下した看護師Ｎ２は、廊下Ｃ１にいる患者Ｐ３の元に到着する。看護師Ｎ２は、患者Ｐ３が転倒しないように患者Ｐ３を介助する。この場合、看護師Ｎ２は、両手を使って患者Ｐ３の介助をするために、手に持っていた携帯端末６００ｂを、衣服のポケット等に収納する必要がある。ここで、本実施形態の携帯端末６００は、上述のように、看護師Ｎ２が元々保有しているスマートフォン等の汎用端末を活用して実現可能であり、携帯端末６００専用の新たな収納スペースを必要としない。したがって、看護師Ｎ２は、携帯端末６００をポケット等に容易に収納でき、迅速かつ確実に患者Ｐ３を介助できる。
【００６９】
＜携帯端末６００のモニタ表示機能＞
図１１は、携帯端末のモニタ表示機能を説明するための図である。
【００７０】
図１１に示すように、携帯端末６００は、受信モニタに５００において表示される画面と同様の画面を、表示部６５０に表示する。具体的には、携帯端末６００のモニタ表示部６１６は、受信モニタ５００と通信を行い、受信モニタ５００に表示されている各患者の状態や動作、所在位置等を示す各種情報を取得し、表示部６５０に表示する。これにより、看護師は、病室等のナースステーション以外の場所にいても、各患者の状態等を容易に確認できる。
【００７１】
以上のように、本実施形態の医療用システム１００によれば、携帯端末６００は、医療スタッフが患者の所在位置に向かうことを示す処置表明操作を受付け、当該処置表明操作を受付けたことを示す情報を他の携帯端末６００に送信する。これにより、様々な場所にいる医療スタッフ同士が適切に連携して患者に対応できる。
【００７２】
また、携帯端末６００は、患者の位置情報および動作情報のうち少なくとも一つに基づいて患者の転倒リスクを判断し、転倒リスクがある場合、患者の所在位置と対応付けて、医療スタッフが患者に対応する旨の表明を受付ける「処置」ボタンを表示する。これにより、例えば、患者がトイレ等に向かって急いで歩行中の場合や、トイレにおいて介助が必要な患者がトイレに入った場合等、患者が転倒する危険性が高い状況を察知し、患者が転倒する前に適切な処置を行うことができる。
【００７３】
なお、上記の実施形態においては、送信機３００に加速度センサーを設け、加速度の変化を検知することにより患者の転倒を検知する例について説明した。しかし、転倒を検知する方法はこれに限定されない。例えば、送信機３００に気圧センサーを設け、気圧の変化を検知することにより患者の転倒を検知してもよい。送信機３００は患者に装着されるため、患者が立っている状態から転倒すると、送信機３００が位置する高さは急激に低くなる。位置する高さが低くなると、周囲の気圧が上昇する。したがって、気圧センサーにより気圧の急な上昇を検知することにより、患者の転倒を検知できる。あるいは、送信機３００に角速度センサーを設けて患者の傾きを検知することにより患者の転倒を検知してもよく、上記のような複数のセンサーの検知結果を組み合わせて患者の転倒を検知してもよい。
【００７４】
また、上記の実施形態においては、携帯端末６００が、生体情報解析、動作情報解析および位置情報解析を行うものとして説明したが、これに限定されない。携帯端末６００の上記機能は、受信モニタ５００や送信機３００等の他の装置により実現されてもよく、ネットワーク上に別途設けられるサーバー等の機器により実現されてもよい。
【００７５】
また、上記の実施形態においては、携帯端末６００は、図６等に示す画面において、医療スタッフによる処置が必要な患者の状態やアラーム等を表示するものとして説明したが、これに限定されない。携帯端末６００は、例えば、常に全ての患者の情報を表示してもよく、あるいは、特定の患者の情報を選択的に表示してもよい。
【００７６】
また、上記の実施形態においては、携帯端末６００は、ネットワークＮ経由で、他の携帯端末６００へ処置表明情報を送信するものとして説明したが、これに限定されない。携帯端末６００は、ネットワークＮ経由で、一度受信モニタ５００へ処置表明情報を送信し、受信モニタ５００が他の携帯端末へ処置表明情報を送信してもよい。あるいは、携帯端末６００は、ネットワークＮを介さずに、他の携帯端末６００と直接通信を行い、処置表明情報を送信してもよい。
【００７７】
また、上記の実施形態においては、医療スタッフが手に持って使用する携帯端末６００の例について説明したが、携帯端末６００の実施態様は、これに限定されない。以下、携帯端末６００の実施態様例について説明する。
【００７８】
図１２は、リストバンド型携帯端末の概略構成を示す図である。図１３は、眼鏡型携帯端末の概略構成を示す図である。
【００７９】
図１２に示すように、携帯端末６００は、リストバンド型として構成されてもよい。図１２の例では、表示部６５０のかわりに、光線をスクリーンに投写することにより画像を表示する投写部６５１を設け、医療スタッフの手をスクリーンとして使用し患者の各種情報を表示している。このように、携帯端末６００をリストバンド型とすることにより、使用時に、医療スタッフが携帯端末６００を手で支持する必要がなくなり、介助等の作業が行いやすくなる。また、携帯端末６００を衣服のポケット等に収納する必要もなくなり、携帯端末６００の置き忘れ等も抑止される。さらに、携帯端末６００の表示部６５０を、投写部６５１によって置き換えることにより、携帯端末６００の省スペース、軽量化を図ることができ、医療スタッフの業務効率が向上する。
【００８０】
あるいは、図１３に示すように、携帯端末６００は、眼鏡型として構成されてもよい。図１３の例では、眼鏡の縁部分に投写部６５１を設け、眼鏡のレンズ部分をスクリーンとして使用して患者の各種情報を表示している。このように、携帯端末６００を眼鏡型とすることにより、リストバンド型とした時の効果に加え、医療スタッフが患者を見ながら目線を変えることなくその患者の状態等を確認でき、医療スタッフの業務効率がより一層向上する。
【００８１】
＜第２実施形態＞
次に、第２実施形態の医療用システムについて説明する。なお、第１実施形態の医療用システムと同様の構成については、同じ参照番号を付し、その説明を省略する。
【００８２】
第１実施形態では、送信機３００は、アンテナ４００を介して通信を行うものとして説明した。また、送信機３００は、識別情報発信機２００から位置ＩＤを取得し、取得した位置ＩＤに基づいて所在位置が特定されるものとして説明した。しかし、送信機３００の通信方法および所在位置の特定方法はこれに限定されない。送信機３００は、携帯端末６００と同じネットワークを利用して通信し、また、そのネットワークによって所在位置が特定されてもよい。第２実施形態では、送信機３００が携帯端末６００と同じネットワークを利用して通信し、そのネットワークによって送信機３００の所在位置が特定される場合について説明する。
【００８３】
図１４は、第２実施形態に係る医療用システムの概略構成を示す図である。
【００８４】
図１４に示すように、医療用システム１１０は、アクセスポイント２１０（２１０ａ、２１０ｂ、２１０ｃ）、サーバー２２０、送信機３００（３００ａ、３００ｂ、３００ｃ、３００ｄ、３００ｅ）、受信モニタ５００および携帯端末６００（６００ａ、６００ｂ、６００ｃ）を有する。
【００８５】
アクセスポイント２１０は、例えば、Ｗｉ−Ｆｉ規格による無線接続機能やイーサネット（登録商標）規格による有線接続機能等を提供する無線ＬＡＮルーターである。送信機３００および携帯端末６００は、アクセスポイント２１０が発信するＷｉ−Ｆｉ接続用の電波を受信して利用することにより、無線での通信が可能となる。
【００８６】
サーバー２２０は、イーサネット（登録商標）規格による接続等を介してアクセスポイント２１０および受信モニタ５００に接続されるコンピューターである。サーバー２２０は、送信機３００から送信される位置情報に基づいて、送信機３００の所在位置を特定する。
【００８７】
送信機３００は、アクセスポイント２１０を介して無線での通信を行う。送信機３００は、第１実施形態と同様に、患者の生体情報および動作情報を送信する。また、送信機３００は、位置情報として、アクセスポイント２１０から電波を受信した際の信号強度を示す信号強度情報と、当該アクセスポイント２１０を識別するための情報であるアクセスポイント情報とを、サーバー２２０に送信する。アクセスポイント情報は、例えば、ＳＳＩＤ（Ｓｅｒｖｉｃｅ  Ｓｅｔ  Ｉｄｅｎｔｉｆｉｅｒ）、ＭＡＣアドレス（Ｍｅｄｉａ  Ａｃｃｅｓｓ  Ｃｏｎｔｒｏｌ  ａｄｄｒｅｓｓ）等である。送信機３００が複数のアクセスポイント２１０から電波を受信した場合、送信機３００は、各アクセスポイント２１０から電波を受信した際の信号強度を、各アクセスポイント２１０を識別するための情報と対応付けてサーバー２２０に送信する。
【００８８】
サーバー２２０の記憶部（不図示）には、各アクセスポイント２１０の設置位置が記憶されている。また、サーバー２２０の記憶部には、アクセスポイント２１０が発信する電波を送信機３００が受信した際の信号強度とアクセスポイント２１０から送信機３００までの距離とを関係付けたテーブル情報が予め記憶されている。ここで、無線信号の強度は、信号の発生源（アクセスポイント２１０）からの距離が離れるほど減衰する。したがって、送信機３００がアクセスポイント２１０から受信した無線信号の強度が強ければ、送信機３００と当該アクセスポイント２１０との間の距離は短いことがわかる。一方、送信機３００がアクセスポイント２１０から受信した無線信号の強度が弱ければ、送信機３００と当該アクセスポイント２１０との間の距離は長いことがわかる。このような原理に基づく計算や実験での測定結果によって決定された信号強度と距離との関係を示す情報がテーブル情報として記憶される。
【００８９】
サーバー２２０は、送信機３００から送信された信号強度情報およびアクセスポイント情報と、記憶部に記憶されているテーブル情報とに基づいて、送信機３００の所在位置を特定する。例えば、送信機３００が一つのアクセスポイント２１０に関する信号強度情報およびアクセスポイント情報を送信した場合、サーバー２２０は、送信機３００が当該アクセスポイント２１０の設置位置から一定の距離をおいた位置にあると特定できる。また、送信機３００が複数のアクセスポイント２１０に関する信号強度情報およびアクセスポイント情報を送信した場合、サーバー２２０は、それぞれのアクセスポイント２１０の設置位置から送信機３００までの距離を特定できる。これにより、サーバー２２０は、精度よく送信機３００の所在位置を特定できる。
【００９０】
サーバー２２０は、送信機３００の所在位置を特定した後、送信機３００の所在位置を示す情報を、携帯端末６００へ送信する。
【００９１】
携帯端末６００は、サーバー２２０、送信機３００または受信モニタ５００からアクセスポイント２１０経由で各種情報を受信する。携帯端末６００は、受信した各種情報に基づいて、第１実施形態と同様に、患者の状態、動作、所在位置等を表示したり、処置表明操作を受付けたりすることができる。
【００９２】
以上のように、第２実施携帯の医療用システム１１０によれば、送信機３００と携帯端末６００とが、共にアクセスポイント２１０を利用して通信し、アクセスポイント２１０に関する情報に基づいて送信機３００の所在位置が特定される。これにより、簡単な構成によって医療用システム１１０を実現でき、システム構築や保守運用の負担が低減される。
【００９３】
なお、上記の実施形態においては、サーバー２２０が送信機３００の所在位置を特定するものとして説明したが、これに限定されない。例えば、携帯端末６００や受信モニタ５００が送信機３００の所在位置を特定してもよい。
【００９４】
＜第３実施形態＞
次に、第３実施形態の医療用システムについて説明する。なお、第１実施形態の医療用システムと同様の構成については、同じ参照番号を付し、その説明を省略する。
【００９５】
第１実施形態では、携帯端末６００が無線通信を行うためのネットワークＮは、識別情報発信機２００とは別の構成として設けられるものとして説明した。しかし、携帯端末６００が無線通信を行うためのネットワークは、これに限定されない。携帯端末６００が無線通信を行うためのネットワークは、識別情報発信機によって構築されてもよい。第３実施形態では、識別情報発信機を利用して携帯端末６００が通信を行うためのネットワークを構築する場合について説明する。
【００９６】
図１５は、第３実施形態に係る医療用システムの概略構成を示す図である。
【００９７】
図１５に示すように、医療用システム１２０は、識別情報発信機２３０（２３０ａ、２３０ｂ、２３０ｃ、２３０ｄ、２３０ｅ）、送信機３００（３００ａ、３００ｂ、３００ｃ、３００ｄ、３００ｅ）、アンテナ４００、受信モニタ５００および携帯端末６００（６００ａ、６００ｂ、６００ｃ）を有する。
【００９８】
識別情報発信機２３０ａ〜２３０ｅは、第１実施形態と同様に、送信機３００の位置を特定するために位置ＩＤ「Ａ」〜「Ｅ」を発信する。また、識別情報発信機２３０ａ〜２３０ｅは、それぞれ相互に通信可能に構成され、識別情報発信機２３０ａ〜２３０ｅを通信ノードとするメッシュネットワークを形成する。さらに、識別情報発信機２３０ａ〜２３０ｅは、携帯端末６００とも相互に通信可能であり、識別情報発信機２３０ａ〜２３０ｅが構成するメッシュネットワークは、受信モニタ５００にも接続されている。
【００９９】
携帯端末６００は、識別情報発信機２３０ａ〜２３０ｅが構成するメッシュネットワークに接続することにより、受信モニタ５００や他の携帯端末６００と通信可能となる。携帯端末６００は、送信機３００または受信モニタ５００からメッシュネットワーク経由で各種情報を受信する。携帯端末６００は、第１実施形態と同様に、患者の状態、動作、所在位置等を表示したり、処置表明操作を受付けたりすることができる。
【０１００】
以上のように、第３実施形態の医療用システム１２０によれば、識別情報発信機２３０によりメッシュネットワークを構築し、当該メッシュネットワークを介して携帯端末６００が無線通信を行う。これにより、例えば、既に識別情報発信機２３０やアンテナ４００を導入している施設では、新たなネットワークインフラを構築することなく既存の設備を活用して医療用システム１２０を実現できる。
【符号の説明】
【０１０１】
１００、１１０、１２０  医療用システム、
２００、２３０  識別情報発信機、
２１０  アクセスポイント、
２２０  サーバー、
３００  送信機、
４００  アンテナ、
５００  受信モニタ、
６００  携帯端末、
６０１  汎用端末、
６０２  通信モジュール、
６１０  ＣＰＵ、
６２０  ＲＯＭ、
６３０  ＲＡＭ、
６４０  ストレージ、
６５０  表示部、
６５１  投写部、
６６０  操作部、
６７０  通信部、
６８０  バス。
【図１】
2019107454.tif 000003
【図２】
2019107454.tif 000004
【図３】
2019107454.tif 000005
【図４】
2019107454.tif 000006
【図５】
2019107454.tif 000007
【図６】
2019107454.tif 000008
【図７】
2019107454.tif 000009
【図８】
2019107454.tif 000010
【図９】
2019107454.tif 000011
【図１０】
2019107454.tif 000012
【図１１】
2019107454.tif 000013
【図１２】
2019107454.tif 000014
【図１３】
2019107454.tif 000015
【図１４】
2019107454.tif 000016
【図１５】
2019107454.tif 000017
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
患者に装着されて当該患者の生体情報を取得し、自機の位置に関する位置情報を取得すると共に前記位置情報および前記生体情報を送信する送信機と、
複数の医療スタッフそれぞれに携帯され、ネットワークを介して前記送信機から送信された前記位置情報および前記生体情報に基づいて前記患者の所在位置および状態を表示する複数の携帯端末と、
を有し、
前記各携帯端末は、
当該携帯端末を携帯する医療スタッフが前記所在位置に向かうことを示す操作を受付ける受付部と、
前記受付部において前記操作を受付けたとき、当該操作を受付けたことを示す情報を前記複数の携帯端末のうちの他の携帯端末に送信する送信部と、
前記患者に装着された前記送信機に近づけられたときに、当該患者の任意の生体情報を、前記ネットワークを介さずに前記送信機から直接受信する受信部と、
前記受信部において受信された任意の前記生体情報を表示する表示部と、
を有する医療用システム。
【請求項２】
患者に装着されて当該患者の生体情報を取得し、自機の位置に関する位置情報および加速度センサーによって検出された前記患者の動作に関する動作情報を取得すると共に前記位置情報、前記動作情報および前記生体情報を送信する送信機と、
複数の医療スタッフそれぞれに携帯され、前記送信機から送信された前記位置情報、前記動作情報および前記生体情報を受信し、前記位置情報、前記動作情報および前記生体情報に基づいて前記患者の所在位置および状態を表示する複数の携帯端末と、
を有し、
前記各携帯端末は、
前記動作情報に基づいて転倒リスクがあると判断された場合、前記患者の所在位置と対応付けて前記患者への対処の表明を受付ける受付部と、
を有する医療用システム。
【請求項３】
前記携帯端末は、医療スタッフの腕部に装着可能なリストバンド型または頭部に装着可能な眼鏡型である請求項１または請求項２に記載の医療用システム。
【請求項４】
前記携帯端末は、前記生体情報を解析し、解析結果に基づいて前記患者の状態が正常であるかまたは異常であるかを判断可能である請求項１〜３のいずれか一項に記載の医療用システム。
【請求項５】
前記送信機から送信された前記位置情報、前記動作情報および前記生体情報に基づいて前記患者の所在位置、動作および状態を表示する受信モニタをさらに有し、
前記携帯端末または前記受信モニタは、各患者毎に前記生体情報および前記動作情報に基づき対応が必要か否かを判断するための閾値を設定する設定部をさらに有する請求項２に記載の医療用システム。
【手続補正２】
【補正対象書類名】明細書
【補正対象項目名】０００７
【補正方法】変更
【補正の内容】
【０００７】
医療用システムは、送信機と、複数の携帯端末とを有する。送信機は、患者に装着されて当該患者の生体情報を取得し、自機の位置に関する位置情報を取得すると共に位置情報および生体情報を送信する。携帯端末は、複数の医療スタッフそれぞれに携帯され、ネットワークを介して送信機から送信された位置情報および生体情報に基づいて患者の所在位置および状態を表示する。携帯端末は、当該携帯端末を携帯する医療スタッフが所在位置に向かうことを示す操作を受付ける受付部と、受付部において操作を受付けたとき、当該操作を受付けたことを示す情報を複数の携帯端末のうちの他の携帯端末に送信する送信部と、患者に装着された送信機に近づけられたときに、当該患者の任意の生体情報を、ネットワークを介さずに送信機から直接受信する受信部と、受信部において受信された任意の生体情報を表示する表示部と、を有する。
【手続補正３】
【補正対象書類名】明細書
【補正対象項目名】０００８
【補正方法】変更
【補正の内容】
【０００８】
医療用システムは、送信機と、複数の携帯端末とを有する。送信機は、患者に装着されて当該患者の生体情報を取得し、自機の位置に関する位置情報および加速度センサーによって検出された患者の動作に関する動作情報を取得すると共に位置情報、動作情報および生体情報を送信する。携帯端末は、複数の医療スタッフそれぞれに携帯され、送信機から送信された位置情報、動作情報および生体情報を受信し、位置情報、動作情報および生体情報に基づいて患者の所在位置および状態を表示する。携帯端末は、動作情報に基づいて判断される患者の転倒リスクに応じて、転倒リスクがある場合、患者の所在位置と対応付けて患者への対処の表明を受付ける受付部を有する。